(57)【要約】【課題】医用画像診断装置の操作性の向上を図る。【解決手段】医用画像診断装置１は、あらかじめ設定された一連の処理からなるルーチン検査に用いられる。医用画像診断装置１のリスト記憶部６には、検査待ち状態の患者の患者ＩＤ等をリスト化した患者リストＬが記憶されている。オペレータは、画像の印刷処理の終了後に、操作部７Ｂを操作して画像観察画面１４００上のＮｅｘｔボタン１４００Ａをクリックする。制御部９は、患者リストＬを参照して次の患者の有無を判断する。次の患者が存在する場合、制御部９は、その患者の検査を行うために撮像位置決定操作画面１２００を表示させる。一方、次の患者が存在しない場合、制御部９は、外部装置４００に画像を転送するための画像転送画面１５００を表示させる。【選択図】図１
2008212184.tif 000002
【特許請求の範囲】
【請求項１】
被検体の体内の形態又は機能を反映したデータを取得する処理、及び該取得されたデータに基づいて画像を生成する処理を含む一連の処理を実行する医用画像診断装置であって、
前記一連の処理を施す予定の被検体の有無を表す予定情報を記憶する記憶手段と、
前記一連の処理を実行するための操作を行うための複数の操作画面を表示する表示手段と、
操作手段と、
一つの前記一連の処理の終了後に前記操作手段により所定の操作がなされたときに、次の前記一連の処理を実行するための操作を行うための操作画面を、前記予定情報に基づいて前記複数の操作画面のうちから選択して前記表示手段に表示させる制御手段と、
を備えることを特徴とする医用画像診断装置。
【請求項２】
前記制御手段は、前記一連の処理のうちの最後の処理において表示される操作画面上に所定のソフトキーを表示させ、前記所定の操作として該ソフトキーが操作されたときに、前記いずれかの操作画面を選択して表示させる、
ことを特徴とする請求項１に記載の医用画像診断装置。
【請求項３】
前記制御手段は、前記所定の操作がなされたときに、前記予定情報に基づいて前記一連の処理が未だに施されていない被検体が存在するか否かを判断し、該被検体が存在すると判断されたときに、前記データの取得を行うための操作画面を前記表示手段に表示させる、
ことを特徴とする請求項１又は請求項２に記載の医用画像診断装置。
【請求項４】
ネットワークを通じて外部装置にデータを送信する送信手段を更に備え、
前記制御手段は、前記所定の操作がなされたときに、前記予定情報に基づいて前記一連の処理が未だに施されていない被検体が存在するか否かを判断し、該被検体が存在しないと判断されたときに、前記送信手段を制御して前記画像を前記外部装置に送信させる、
ことを特徴とする請求項１又は請求項２に記載の医用画像診断装置。
【請求項５】
前記複数の操作画面は、前記一連の処理のうちの最初の処理として被検体の撮像位置を決定するための撮像位置決定操作画面と、前記一連の処理のうちの最後の処理として前記画像を印刷するための印刷操作画面とを含み、
前記制御手段は、前記印刷操作画面上に所定のソフトキーを表示させ、前記所定の操作として該ソフトキーが操作されたときに、前記予定情報に基づいて前記一連の処理が未だに施されていない被検体が存在するか否かを判断し、該被検体が存在すると判断されたときに、前記撮像位置決定操作画面を前記表示手段に表示させる、
ことを特徴とする請求項１に記載の医用画像診断装置。
【請求項６】
ネットワークを通じて外部装置にデータを送信する送信手段を更に備え、
前記複数の操作画面は、前記一連の処理のうちの最後の処理として前記画像を印刷するための印刷操作画面と、前記画像を外部装置に送信するための画像送信操作画面とを含み、
前記制御手段は、前記印刷操作画面上に所定のソフトキーを表示させ、前記所定の操作として該ソフトキーが操作されたときに、前記予定情報に基づいて前記一連の処理が未だに施されていない被検体が存在するか否かを判断し、該被検体が存在しないと判断されたときに、前記画像送信操作画面を前記表示手段に表示させる、
ことを特徴とする請求項１に記載の医用画像診断装置。
【発明の詳細な説明】
【技術分野】
【０００１】
この発明は、被検体内の形態や機能を画像化する医用画像診断装置に関する。
【背景技術】
【０００２】
医用画像診断装置としては、磁気共鳴イメージング（Ｍａｇｎｅｔｉｃ  Ｒｅｓｏｎａｎｃｅ  Ｉｍａｇｉｎｇ；ＭＲＩ）装置、Ｘ線診断装置、Ｘ線ＣＴ（Ｃｏｍｐｕｔｅｄ  Ｔｏｍｏｇｒａｐｈｙ）装置、ＰＥＴ（Ｐｏｓｉｔｒｏｎ  Ｅｍｉｓｓｉｏｎ  Ｃｏｍｐｕｔｅｄ  Ｔｏｍｏｇｒａｐｈｙ）装置、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置、超音波診断装置などが従来から用いられている。
【０００３】
近年、医用画像診断装置による検査の標準化が推進されている。つまり、各検査において実施する一連の処理をあらかじめ設定することにより検査の標準化を図るようになってきている。このような検査は「ルーチン検査」などと呼ばれる。たとえば特許文献１には、ルーチン検査におけるオペレータの負担軽減やスループット向上を図る技術が開示されている。
【０００４】
一般に、医用画像診断装置の操作画面には、各種のソフトキーが設けられている。オペレータは、適当なソフトキーを操作（クリック等）することによって、次の手順に移行するようになっている。
【０００５】
ルーチン検査は、上記のようにあらかじめ決められた手順にしたがって実施される検査である。このような特殊性を鑑み、ルーチン検査の操作画面において、或る手順の作業が終了したことに対応し、次の手順に移行するためのソフトキー上にポインタを自動的に移動させるような技術が開発されている。このような技術は、たとえば特許文献２に開示されている。
【０００６】
【特許文献１】特許第３４９９２４８号明細書
【特許文献２】特開平９−２４４８５２号公報
【発明の開示】
【発明が解決しようとする課題】
【０００７】
ところで、医用画像診断装置の運用現場では、検査対象となる患者のオーダ（予約）を発行してリストを作成し、このリストに基づいて複数の患者に対して順次に検査を行うようになっていることが多い。
【０００８】
この場合、次のオーダの有無などの状況に応じて、次に行う作業内容が変わってくることがある。たとえば、次のオーダが存在する場合には、現在実行中のオーダに基づく検査が終了したら次のオーダに基づく検査に移行する一方、次のオーダが存在しない場合には、撮影画像を他の装置（画像データベースや画像ビューア等）に転送するように作業が展開することがある。
【０００９】
しかしながら、従来の医用画像診断装置においては、オーダの発行状態に応じて操作画面やポインタを制御することができなかったため、次のオーダの有無に応じて異なる操作を行わねばならないなど、操作が煩雑であった。また、オーダの有無を把握しないで操作を行った場合には、再度操作を行う必要があり面倒であった。
【００１０】
この発明は、以上のような問題を解決するためになされたものであり、医用画像診断装置の操作性の向上を図ることが可能な技術を提供することを目的とする。
【課題を解決するための手段】
【００１１】
上記目的を達成するために、この発明は、被検体の体内の形態又は機能を反映したデータを取得する処理、及び該取得されたデータに基づいて画像を生成する処理を含む一連の処理を実行する医用画像診断装置であって、前記一連の処理を施す予定の被検体の有無を表す予定情報を記憶する記憶手段と、前記一連の処理を実行するための操作を行うための複数の操作画面を表示する表示手段と、操作手段と、一つの前記一連の処理の終了後に前記操作手段により所定の操作がなされたときに、次の前記一連の処理を実行するための操作を行うための操作画面を、前記予定情報に基づいて前記複数の操作画面のうちから選択して前記表示手段に表示させる制御手段と、を備えることを特徴とする。
【発明の効果】
【００１２】
この発明に係る医用画像診断装置は、被検体の体内の形態又は機能を反映したデータを取得する処理、及び該取得されたデータに基づいて画像を生成する処理を含む一連の処理を実行する装置である。この医用画像診断装置は、一連の処理を施す予定の被検体の有無を表す予定情報を記憶している。制御手段は、一連の処理の終了後に所定の操作がなされたことに対応し、次の一連の処理を実行するために、複数の操作画面のうちのいずれかを予定情報に基づいて選択して表示手段に表示させる。
【００１３】
このような医用画像診断装置によれば、次の被検体（患者、オーダ）の有無に応じて操作画面を選択的に表示することができるので、オペレータは、次の患者の有無を考慮して操作を使い分ける必要がない。したがって、医用画像診断装置の操作性の向上を図ることが可能である。
【発明を実施するための最良の形態】
【００１４】
この発明に係る医用画像診断装置の好適な実施形態の一例について、図面を参照しながら詳細に説明する。本発明に係る医用画像診断装置は、たとえばＭＲＩ装置、Ｘ線診断装置、Ｘ線ＣＴ装置、ＰＥＴ装置、ＳＰＥＣＴ装置、超音波診断装置のように、被検体の体内の形態や機能を画像化する機能を有する装置である。
【００１５】
［構成］
図１は、この実施形態に係る医用画像診断装置の構成の一例を表している。同図に示す医用画像診断装置１は、ＲＩＳ２００、イメージャ３００及び外部装置４００のそれぞれと通信可能に接続されている。これらの装置は、たとえば医療機関内に構築されたＬＡＮ（Ｌｏｃａｌ  Ａｒｅａ  Ｎｅｔｗｏｒｋ）や専用線などのネットワークによって接続されている。
【００１６】
ＲＩＳ（Ｒａｄｉｏｌｏｇｙ  Ｉｎｆｏｒｍａｔｉｏｎ  Ｓｙｓｔｅｍ）２００は、医療機関の放射線科にて用いられる各種の情報を管理するシステムである。特に、ＲＩＳ２００は、医師端末等のオーダ端末１００からオーダを受け付けて管理する。
【００１７】
オーダ（ｏｒｄｅｒ）とは、医用画像診断装置１等を用いた検査の実施の予約を意味する。オーダは、オーダ端末１００により所定のオーダ情報を入力し、ＲＩＳ２００に送信することによって行う。オーダ情報は、患者ＩＤや患者氏名等の患者識別情報、検査装置の識別情報、検査内容（検査部位や検査方法等）などを含む情報である。ＲＩＳ２００は、たとえば各患者毎にオーダ情報を管理している。
【００１８】
イメージャ（ｉｍａｇｅｒ）３００は、医用画像診断装置１により生成された画像を印刷出力する装置である。イメージャ３００としては、たとえばドライタイプやウェットタイプのレーザイメージャ等の一般的な装置を用いることができる。
【００１９】
外部装置４００は、医用画像診断装置１以外の装置であり、医用画像診断装置１から送信される情報を受信する装置である。外部装置４００の一例としては、読影用のビューア（ｖｉｅｗｅｒ）等のコンピュータ端末や、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）の画像データベースなど、上記のネットワークを介して医用画像診断装置１と通信可能な任意の装置がある。
【００２０】
医用画像診断装置１は、データ収集部２、画像生成部３、画像記憶部４、オーダ受付部５、リスト記憶部６、ユーザインターフェイス７、通信部８及び制御部９を含んで構成されている。以下、これらの構成部分についてそれぞれ説明する。なお、制御部９については、他の構成部分の説明中においても適宜に説明することにする。
【００２１】
（データ収集部）
データ収集部２は、被検体（患者）の体内の形態や機能を反映したデータを取得する。データ収集部２は、制御部９による制御を受けて、被検体の体内の形態や機能を反映したデータの収集を実行する。
【００２２】
たとえば医用画像診断装置１がＭＲＩ装置である場合、データ収集部２は、被検体が載置される寝台装置、静磁場磁石や傾斜磁場コイルを具備したガントリ、ＲＦ（Ｒａｄｉｏ  Ｆｒｅｑｕｅｎｃｙ）コイル、これらの磁石やコイルを駆動制御する装置を含んで構成される。
【００２３】
また、医用画像診断装置１がＸ線ＣＴ装置である場合、データ収集部２は、寝台装置、対向配置されたＸ線管及びＸ線検出器、Ｘ線管及びＸ線検出器を回転させる駆動機構、Ｘ線検出器による検出結果を収集するＤＡＳ（Ｄａｔａ  Ａｃｑｕｉｓｉｔｉｏｎ  Ｓｙｓｔｅｍ）等を具備したガントリを含んで構成される。医用画像診断装置１がＰＥＴ装置やＳＰＥＣＴ装置の場合についても同様に構成される。
【００２４】
更に、医用画像診断装置１がＸ線診断装置の場合、体内形態や機能を反映したデータを取得する手段は、アーム等により対向位置に保持されたＸ線管及びＸ線検出器を含んで構成される。また、医用画像診断装置１が超音波診断装置である場合、当該手段は、被検体に当接されて超音波の送受信を行う超音波プローブを含んで構成される。
【００２５】
（画像生成部）
画像生成部３は、データ収集部２により収集されたデータに基づいて画像（画像データ）を生成する。なお、本明細書においては、画像データと、この画像データに基づく画像（表示画像）とを同一視することがある。
【００２６】
ＭＲＩ装置における画像生成部３は、たとえば２次元・３次元フーリエ変換法などの画像再構成処理を実行する専用ボードやマイクロプロセッサを含んで構成される。
【００２７】
また、Ｘ線ＣＴ装置における画像生成部３は、たとえば２次元フーリエ変換法やコンボリューション・バックプロジェクション法などの画像再構成処理を実行する専用ボードやマイクロプロセッサを含んで構成される。なお、画像生成部３は、画像再構成処理の実行前に所定の前処理を行ってもよい。
【００２８】
医用画像診断装置１がその他の装置である場合、画像生成部３は、一般に用いられる任意の手法で被検体の画像を生成する。
【００２９】
（画像記憶部）
画像記憶部４は、画像生成部３により生成された画像（画像データ）を記憶する記憶装置である。画像記憶部４は、たとえばハードディスクドライブ等の記憶装置によって構成される。画像生成部３により生成された画像は、各患者毎に作成される画像ファイルＦｉとして記憶される。
【００３０】
画像ファイルＦｉは、たとえば、デジタル医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）におけるＳｔｕｄｙ（検査）ファイルやＳｅｒｉｅｓ（シリーズ）ファイルやＩｍａｇｅ（画像）ファイルとして形成される。
【００３１】
（オーダ受付部）
オーダ受付部５は、ＲＩＳ２００が管理するオーダ情報のうち、医用画像診断装置１を用いた検査についてのオーダ情報を受け付ける。オーダ受付部５は、たとえばＬＡＮカード等のネットワークアダプタを含んで構成されている。オーダ受付部５は、受け付けたオーダ情報を制御部９に入力する。
【００３２】
オーダ受付部５は、制御部９により制御されて、オーダ情報の受け付けを適宜のタイミングで行うようになっている。たとえば、制御部９は、定期的にオーダ情報の受け付けを行うようにオーダ受付部５を制御する。また、制御部９は、医用画像診断装置１による検査のオーダ情報がＲＩＳ２００に登録される度毎にオーダ情報を受け付けるようにオーダ受付部５を制御する。
【００３３】
（リスト記憶部）
制御部９のリスト制御部９Ｂは、後述のように、オーダ受付部５から入力されるオーダ情報に基づいて、医用画像診断装置１で検査を行う患者のリスト（患者リストＬ）を作成してリスト記憶部６に記憶される。リスト記憶部６は、患者リストＬを記憶するハードディスクドライブやＲＡＭ（Ｒａｎｄｏｍ  Ａｃｃｅｓｓ  Ｍｅｍｏｒｙ）等の記憶装置によって構成される。
【００３４】
患者リストＬは、たとえば患者ＩＤや患者氏名等の患者識別情報をリスト化したものである。また、患者リストＬには、実施する検査の内容（撮影手法、撮影部位、撮影条件等）が各患者毎に記録されていてもよい。
【００３５】
ここで、リスト制御部９Ｂによる患者リストＬの作成処理について説明する。リスト制御部９Ｂは、オーダ受付部５から新たなオーダ情報が入力されたことに対応し、この新たなオーダ情報に示す患者を現在の患者リストＬに追加して患者リストＬを逐次に更新する。
【００３６】
また、リスト制御部９Ｂは、患者リストＬに記録された患者に対する検査が終了したことに対応して、患者リストＬから当該患者を削除する。ここで、検査の終了の判断は、たとえばデータ収集部２によるデータ収集が終了したことや、画像ファイルＦｉが画像記憶部４に記憶されたことなどによって行うことができる。このように、患者リストＬは、未だ検査を実施していない患者（つまり検査待ち状態の患者）のリストとして構成される。
【００３７】
なお、検査を実施した患者をリストから削除する代わりに、検査を実施したことを示す情報を当該患者の患者識別情報等に付加するようにしてもよい。また、検査待ち状態であることを示す情報を患者識別情報等に付加し、検査の終了に対応して当該情報を削除するように構成することも可能である。いずれにしても、患者リストＬは、検査待ち状態の患者を判別可能に記録するものであれば、その形態は任意である。
【００３８】
（患者リストの具体例）
ここで、図２に示す患者リストＬの具体例を説明する。同図に示す患者リストＬは、検査待ち状態の患者の患者ＩＤと患者氏名とを検査順序にしたがってリスト化したものである。
【００３９】
患者リストＬの検査順序「１」の患者に対する検査が終了すると、リスト制御部９Ｂは、この患者についての情報をリストから削除するとともに、検査順序「２」以降の検査順序「ｉ（≧２）」の患者についての情報を一つずつ繰り上げて検査順序「ｉ−１」に変更する。リスト制御部９Ｂは、このようにして検査待ちの患者の管理を行う。
【００４０】
図２の検査順序「１」の患者（患者ＩＤ「１１１１１」の患者）について検査が実施されて画像が取得されると、制御部９は、この患者の患者ＩＤや患者氏名と関連付けた画像ファイルＦ１を作成して画像記憶部４に記憶させる。このようにして画像ファイルＦ１、Ｆ２、Ｆ３、・・・・が得られる。
【００４１】
なお、急患に対する検査が依頼された場合などには、患者リストＬに示す検査順序を遵守せずに検査を行うことがある（割り込み検査）。その場合には、検査を実施した患者（検査順序「ｊ」とする）についての情報をリストから削除するとともに、この患者の検査順序以降の検査順序（「ｊ＋１」、「ｊ＋２」、・・・）の患者についての情報を一つずつ繰り上げる。なお、割り込み検査を行う患者の情報が患者リストＬに記録されていない場合もあるが、この場合には、患者リストＬに関する処理を特に行う必要はない。
【００４２】
患者リストＬは、この発明の「予定情報」の一例に相当する。また、リスト記憶部６は、この発明の「記憶手段」の一例に相当する。この発明の予定情報としては、患者リストＬ以外にも、医用画像診断装置１により検査（ルーチン検査）が実施される予定の被検体の有無を表す任意の情報を用いることが可能である。たとえば、検査を実施予定の被検体の有無を表すフラグや、次の患者の情報のみを記録した情報などを、予定情報として用いることができる。
【００４３】
（ユーザインターフェイス）
ユーザインターフェイス７は、オペレータに対して各種の情報を呈示したり、オペレータの指示を医用画像診断装置１に入力したりするための機能を有する。ユーザインターフェイス７には、表示部７Ａと操作部７Ｂが設けられている。
【００４４】
表示部７Ａは、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなどの任意の表示デバイスによって構成される。表示部７Ａは、制御部９の制御を受けて、各種の画面や画像等の情報を表示する。表示部７Ａは、この発明の「表示手段」の一例として機能する。
【００４５】
操作部７Ｂは、マウス、トラックボール、ジョイスティック等のポインティングデバイスを含んで構成される。また、操作部７Ｂには、キーボードやコントロールパネル等の任意の入力デバイスや操作デバイスが設けられている。操作部７Ｂが操作されると、その操作内容に応じた操作信号が制御部９に入力される。制御部９は、この操作信号に基づいて医用画像診断装置１の各部を制御し、当該操作内容に応じた動作を実行させる。操作部７Ｂは、この発明の「操作手段」の一例として機能する。
【００４６】
オペレータは、ユーザインターフェイス７を用いることにより、新たな患者を患者リストＬに追加することができる。たとえば新たな患者が検査室に来室したときに、オペレータは、操作部７Ｂを操作することにより、当該患者の患者ＩＤ等を所定の患者追加用の画面に入力する。これを受けて、制御部９は、オーダ受付部５を制御して当該患者のオーダ情報をＲＩＳ２００から取得させる。リスト制御部９Ｂは、ＲＩＳ２００から取得されたオーダ情報や入力された情報に基づいて、当該患者の患者ＩＤ等の情報を患者リストＬに追加する。このとき、当該患者に関する情報は、たとえば患者リストＬの末尾に追加される。また、患者リストＬ中の任意の検査順序を指定して当該患者に関する情報を追加することも可能である。
【００４７】
また、たとえば既に検査を実施した患者について再検査を行う場合などには、オペレータは、操作部７Ｂを操作することにより、当該患者の患者ＩＤ等の情報を患者追加用の画面に入力する。リスト制御部９Ｂは、入力された情報に基づいて患者リストＬを更新する。このとき、当該患者に関する情報を患者リストＬの末尾に追加してもよいし、任意の検査順序を指定して追加するようにしてもよい。
【００４８】
また、オペレータは、患者リストＬに記録された患者（オーダ情報）を手入力操作によって削除することができる。また、検査待ち状態の患者の検査順序を手入力操作によって変更することもできる。これらの処理は、手入力操作の内容に基づいてリスト制御部９Ｂが実行する。
【００４９】
（通信部）
通信部８は、イメージャ３００や外部装置４００などの外部装置との間でデータ通信を行うもので、ＬＡＮカード等のネットワークアダプタを含んで構成される。通信部８は、この発明の「送信手段」の一例として機能するものである。
【００５０】
なお、図１では、オーダ受付部５と通信部８とを別々に記載しているが、これらはともに通信機能を有しているので、これらを一体的に構成することも可能である。
【００５１】
（制御部）
制御部９は、医用画像診断装置１の各部を制御する。制御部９は、画像記憶部４やリスト記憶部６に対するデータの書き込み処理を行う。また、制御部９は、画像記憶部４やリスト記憶部６に記憶されたデータの読み出し処理を行う。更に、制御部９は、各種の表示画面を選択的に表示部７Ａに表示させるように動作し、この発明の「制御手段」の一例として機能する。
【００５２】
制御部９には、表示制御部９Ａ、リスト制御部９Ｂ及び患者判断部９Ｃが設けられている。なお、リスト制御部９Ｂについては前述したので、表示制御部９Ａ及び患者判断部９Ｃについて以下に説明する。
【００５３】
表示制御部９Ａは、各種の表示画面や画像を表示部７Ａに表示させる。特に、表示制御部９Ａは、医用画像診断装置１を用いてルーチン検査を実施するための各種の表示画面を表示部７Ａに表示させる。
【００５４】
各表示画面には、医用画像診断装置１を用いた検査における各種の操作を行うための操作領域が配設されている。この操作領域としては、たとえばソフトキー、選択メニュー（プルダウンメニュー等）、入力スペースなどがある。これらの表示画面は、この発明の「操作画面」の一例に相当している。
【００５５】
表示制御部９Ａは、更に、表示画面上におけるポインタの表示位置の制御を行う。このポインタの表示位置の制御は、操作部７Ｂに対する操作に応じて行う場合もあるし、このような操作を受けずに自動的に行う場合もある（後述）。
【００５６】
ここで、ポインタ（ｐｏｉｎｔｅｒ）とは、操作部７Ｂのポインティングデバイスに対する操作に応じて表示画面上を移動する画像である。ポインタは、たとえば矢印形状の画像により構成される。
【００５７】
オペレータは、表示されているソフトキーや画像のうちの所望のものにポインタを重ね、所定の操作（クリック、ダブルクリック、ドラッグ等）を行うことにより所望の操作を実施する。なお、ポインタは、カーソル（ｃｕｒｓｏｒ）などとも呼ばれる。また、ポインタの操作は、たとえばキーボード等を用いて行えるように構成することも可能である。
【００５８】
次に、患者判断部９Ｃについて説明する。患者判断部９Ｃは、患者リストＬに基づいて、検査待ち状態の患者、つまり体内形態や機能を反映したデータの取得が未だなされていない患者が存在するか否かを判断する。
【００５９】
図２の患者リストＬを参照し、患者判断部９Ｃの機能の具体例を説明する。データ収集のなされていない患者が存在する状態は、患者リストＬの少なくとも検査順序「１」の欄に患者ＩＤや患者氏名が記録されている状態に相当する。一方、データ収集のなされていない患者が存在しない状態は、検査順序「１」の欄に患者ＩＤや患者氏名が記録されていない状態に相当する。
【００６０】
このような関係を利用することにより、患者判断部９Ｃは、患者リストＬの検査順序「１」の欄に患者ＩＤ等が記録されているか否かを確認することで、データ収集のなされていない患者の有無を判断する。なお、検査待ち状態の患者の有無の判断は、上記以外の任意の判断手法を用いて行ってもよい。
【００６１】
以上のような機能を有する制御部９は、ＣＰＵ（Ｃｅｎｔｒａｌ  Ｐｒｏｃｅｓｓｉｎｇ  Ｕｎｉｔ）等のマイクロプロセッサ、ＲＡＭ、ハードディスクドライブなどを含んで構成される。ハードディスクドライブにあらかじめ記憶されたコンピュータプログラムをマイクロプロセッサがＲＡＭ上に展開することにより、制御部９による各種の処理が実行される。
【００６２】
［使用形態］
この実施形態に係る医用画像診断装置１の使用形態について説明する。図３に示すフローチャートは、医用画像診断装置１の使用形態の一例を表している。また、図４〜図１１は、表示部７Ａに表示される画面の一例を表している。以下、医用画像診断装置１がＭＲＩ装置である場合について、まず図３に示す使用形態の概略を説明し、その後に各ステップの詳細を説明する。
【００６３】
〔使用形態の概略〕
まず、オペレータ（放射線技師等）は患者予約を行う（Ｓ１）。それにより、現時点における患者リストＬが作成される。
【００６４】
次に、最初の患者、つまり患者リストＬにおける検査順序が「１」の患者を医用画像診断装置１の所定の検査位置（たとえば寝台装置の天板上）に配置させる。そして、撮像位置を決定するための予備的な撮像を行う（Ｓ２）。この予備的な撮像をパイロットスキャンと呼ぶことがある。
【００６５】
オペレータは、パイロットスキャンにより得られた画像を参照し、撮像位置を決定する（Ｓ３）。それにより、スキャン範囲やスライス位置等が撮像位置として決定される。撮像位置を決定したら本撮像を行う（Ｓ４）。オペレータや医師は、撮影された画像を観察する（Ｓ５）。オペレータは、必要に応じて撮像を再度行う。更に、撮影された画像の印刷を行う（Ｓ６）。以上で、当該患者に対する検査、すなわち当該オーダ情報に基づく検査は終了となる。なお、ステップ２〜ステップ６に示す処理は、この発明の「一連の処理」の一例である。
【００６６】
画像の印刷が終了したら、オペレータは、操作部７Ｂを操作して所定の操作を行う（Ｓ７）。この実施形態では、所定の操作として、後述のＮｅｘｔボタンをクリックする。
【００６７】
所定の操作がなされたことを受けて、患者判断部９Ｃは、次の患者（オーダ情報）が存在するか判断する（Ｓ８）。次の患者が存在しないと判断された場合（Ｓ８；Ｎ）、外部装置４００に画像を転送し（Ｓ９）、処理を終了する。
【００６８】
一方、次の患者が存在すると判断された場合（Ｓ８；Ｙ）、その患者に対する検査に移行する。すなわち、その患者を検査位置に配置させてパイロットスキャンを行う（Ｓ２）。以下、その患者に対して同様の処理を実行する。以上のプロセスをステップ８で「Ｎ」と判断されるまで反復する。ステップ８において「Ｎ」と判断されたら、上記の同様に外部装置４００に画像を転送し（Ｓ９）、処理を終了する。
【００６９】
〔各ステップの詳細〕
（ステップ１）
ステップ１（Ｓ１）では患者予約を行う。患者予約は、或る患者に対して医用画像診断装置１を用いた検査を実施するための予約である。換言すると、患者予約は、患者リストＬに新たな患者（オーダ情報）を追加登録するための処理である。
【００７０】
患者予約は、たとえば、オペレータがユーザインターフェイス７を用いて患者ＩＤ等の患者情報を入力することにより行う。なお、ＲＩＳ２００に管理されているオーダ情報に基づいて自動的に患者予約や患者リストＬの作成を実行するように構成してもよい。
【００７１】
患者予約処理の具体例を説明する。図４、図５は、患者予約に用いられる表示画面を表している。オペレータは、まず、所定の操作を行って、図４に示す患者予約画面１０００を表示部７Ａに表示させる。次に、オペレータは、操作部７Ｂを操作して新患者登録ボタン１００３をクリックすることにより、新たな患者の登録処理（予約処理）の開始を指示する。
【００７２】
次に、オペレータは、患者情報入力部１００２に患者情報を入力し、登録ボタン１００４をクリックする。更に、オペレータは、ネットワークメニューボタン１００５を操作して「受信（ＤＩＣＯＭ）」を指定する。ネットワークメニューボタン１００５は、たとえばプルダウンメニューにより構成されている。「受信（ＤＩＣＯＭ）」が指定されたことを受けて、表示制御部９Ａは、図５に示す検索キー設定画面１１００をポップアップ表示させる。
【００７３】
オペレータは、検索キー設定画面１１００上の入力スペースに患者ＩＤ等の検索キー（キーワード）を入力し、検索ボタン１１０１をクリックする。制御部９は、オーダ受付部５を制御し、入力された検索キーを含む信号をＲＩＳ２００に送信させる。また、表示制御部９Ａは、検索キー設定画面１１００の表示を終了させる。
【００７４】
ＲＩＳ２００は、オーダ受付部５からの信号を受信すると、当該検索キーに該当するオーダ情報を検索し、その検索結果を医用画像診断装置１に送信する。オーダ受付部５は、ＲＩＳ２００から送信されたオーダ情報を受け付け、リスト制御部９Ｂに送る。
【００７５】
リスト制御部９Ｂは、オペレータが入力した患者情報やＲＩＳ２００から送信されたオーダ情報に基づいて患者リストＬを作成する。患者リストＬに既に患者（オーダ情報）が登録されている場合、新規に登録された患者は、新規登録前のリストにおける最後の患者の次の検査順序、すなわちリストの末尾に追加登録される。
【００７６】
表示制御部９Ａは、新規に登録された患者を含む患者リストＬを、患者予約画面１０００の患者リスト表示部１００１に表示させる。オペレータは、表示された患者リストＬから、検査を実施する患者を選択指定する。この指定操作は、たとえば所望の患者の情報をクリックすることにより行う。
【００７７】
更に、オペレータは、選択ボタン１００６をクリックして患者の指定結果を確定する。選択ボタン１００６がクリックされると、表示制御部９Ａは、図６に示す撮像位置決定操作画面１２００を表示させる。撮像位置決定操作画面１２００については後述する。
【００７８】
なお、オペレータが入力した検索キーに該当するオーダ情報が検索されなかった場合には、たとえば次のような処理を実行する。まず、ＲＩＳ２００は、オーダ情報が検索されなかった旨を表す信号を医用画像診断装置１に送信する。表示制御部９Ａは、この信号に基づいて、オーダ情報が検索されなかった旨のメッセージを含むダイアログを表示部７Ａに表示させる。以上で、ステップ１の患者予約の説明を終了する。
【００７９】
（ステップ２）
ステップ２（Ｓ２）では、ルーチン検査の最初の処理として、撮像位置を決定するためのパイロットスキャンを行う。パイロットスキャンに関する各種の操作は、図６に示す撮像位置決定操作画面１２００を用いて行う。
【００８０】
撮像位置決定操作画面１２００の検査部位表示部１２０１には、各種の検査部位が選択可能に表示されている。より具体的に説明すると、検査部位表示部１２０１には、人体の概略を表す画像が表示されており、更に、この人体画像上には、人体の様々な部位を示す矩形状の画像（部位画像）１２０１ａが重畳表示されている。
【００８１】
部位画像１２０１ａが示す人体部位としては、たとえば、頭部、頸部、胸部、腹部、臀部、肩部、脚部などがある。なお、医用画像診断装置１においては、各部位画像１２０１ａが示す部位毎にルーチン検査が設定されている。
【００８２】
オペレータは、所望の部位画像１２０１ａをクリックすることにより患者の撮像部位を指定する。表示制御部９Ａは、クリックされた部位画像１２０１ａに対応する検査の種別を表す情報を、検査種別表示部１２０２に表示させる。オペレータは、表示された検査種別のうちから所望の検査種別をクリックして選択する。そして、選択／終了ボタン１２０３をクリックすることにより検査種別の選択結果を確定する。
【００８３】
検査種別が確定されると、表示制御部９Ａは、この検査種別に対応するパルスシーケンスの種別を表す情報を、パルスシーケンス種別表示部１２０４に表示させる。ここで、パルスシーケンスとは、目的とする特徴を有するＭＲＩ画像（たとえばＴ１／Ｔ２強調画像）を取得するための、ＲＦパルス、傾斜磁場の印可、データ収集などのタイミングの制御（ないし当該制御を行うためのソフトウェア）を意味する。
【００８４】
オペレータは、所望のパルスシーケンスの種別を表す情報を選択してクリックし、撮像開始ボタン１２０５をクリックする。データ収集部２は、制御部９の制御にしたがって、指定された人体部位に関するデータを、指定されたパルスシーケンスにて取得する。画像生成部３は、取得されたデータに基づいて画像を生成する。生成された画像は、たとえば画像記憶部４に記憶される。以上で、ステップ２のパイロットスキャンの説明を終了する。
【００８５】
（ステップ３）
ステップ３では、本撮像におけるスキャン範囲やスライス位置等の撮像位置を決定するとともに、本撮像に適用するパルスシーケンス等の撮像プランを決定する。撮像プランの決定は、図６に示す撮像位置決定操作画面１２００を用いて行う。また、撮像位置の決定は、図７に示す撮像操作画面１３００を用いて行う。図７は、撮像部位として頭部が指定されたときの表示画面の一例を表している。
【００８６】
オペレータは、撮像位置決定画面１２００のパルスシーケンス種別表示部１２０４に表示されたパルスシーケンスのうちから、本撮像に適用するパルスシーケンスをクリックして選択する。更に、オペレータは、スキャンプランボタン１２０６をクリックして、本撮像用のパルスシーケンスを確定する。
【００８７】
パルスシーケンスが確定されたことに対応し、表示制御部９Ａは、撮像操作画面１３００を表示部７Ａに表示させる。撮像操作画面１３００には、撮像部位の撮像位置を表す情報が表示される撮像位置表示部１３０１、１３０２が設けられている。
【００８８】
撮像位置表示部１３０１には、パイロットスキャンにより得られた、撮像部位（頭部）の側方からの断層画像（サジタル像）が表示される。更に、このサジタル像上には、スキャン範囲を表す矩形状の画像と、この矩形状の画像内におけるスライス位置を表す複数の線状の画像とが重畳表示される。ここで、前者の画像をスキャン範囲画像と呼び、後者の画像をスライス位置画像と呼ぶことにする。
【００８９】
また、撮像位置表示部１３０２には、パイロットスキャンにより得られた、撮像部位の上方及び背面からの断層画像（アキシャル像及びコロナル像）が表示される。なお、コロナル像は、患者の正面からの断層画像であってもよい。これらの画像上にも、スキャン範囲画像やスライス位置画像が重畳表示される。
【００９０】
オペレータは、操作部７Ｂを操作し、撮像位置表示部１３０１に表示されたスキャン範囲画像のサジタル像に対するサイズや位置を調整することによりスキャン範囲を決定する。スキャン範囲の変更は、たとえばスキャン範囲画像の枠をマウスでドラッグするなどして行う。スキャン範囲の変更結果は、撮像位置表示部１３０２におけるスキャン範囲画像に反映される。
【００９１】
また、オペレータは、操作部７Ｂを操作し、撮像位置表示部１３０１に表示されたスライス位置画像のサジタル像に対する位置等を調整することによりスライス位置を決定する。スライス位置の変更は、たとえばスライス位置画像をマウスでドラッグするなどして行う。スライス位置の変更結果は、撮像位置表示部１３０２におけるスライス位置画像に反映される。
【００９２】
このようにして撮像位置を決定したら、オペレータは、Ｑｕｅｕｅ／Ｅｘｉｔボタン１３０３をクリックして撮像位置を確定する。撮像位置が確定されると、表示制御部９Ａは、図６の撮像位置決定操作画面１２００を再び表示部７Ａに表示させる。
【００９３】
（ステップ４）
ステップ４では本撮像を行う。本撮像は、予備的なパイロットスキャンとは異なり、診断に供される画像を取得するための撮像である。
【００９４】
ステップ３の最後で表示された撮像位置決定操作画面１２００の撮像開始ボタン１２０５がクリックされると、制御部９は、データ収集部２を制御してデータ収集を開始させる。このとき、ステップ３で決定されたスキャン範囲に相当するデータが収集される。画像生成部３は、収集されたデータに基づいて、ステップ３で決定された各スライス位置を断面とする断層画像を生成する。
【００９５】
生成された画像は、画像ファイルＦｉとして画像記憶部４に記憶される。このとき、パルスシーケンスの種別等の撮影条件などについても断層画像とともに記憶される。
【００９６】
表示制御部９Ａは、ステップ３の説明の最後において撮像位置決定操作画面１２００を再度表示させるときに、この撮像位置決定操作画面１２００上にＮｅｘｔボタン（図示せず）を表示させる。このＮｅｘｔボタンは、現在実施している工程の次の工程に移行するためにクリックされるソフトキーである。なお、この検査は、ルーチン検査であるので、次の工程はあらかじめ設定されている。オペレータがＮｅｘｔボタンをクリックすると、表示制御部９Ａは、図８に示す画像観察画面１４００を表示部７Ａに表示させる。
【００９７】
（ステップ５）
ステップ５では、画像観察画面１４００により撮影画像の観察を行う。オペレータは、画像観察画面１４００の画像処理開始ボタン１４０１をクリックし、ステップ４で取得された画像に対する画像処理の開始を指示する。
【００９８】
縮小画像表示部１４０２には、ステップ４で取得された断層画像の縮小画像が配列表示される。オペレータは、操作部７Ｂを操作して所望の縮小画像を指定する。縮小画像は、ステップ４で取得された断層画像に基づいて制御部９により生成される。縮小画像は、当該断層画像を単に縮小した画像であってもよいし、当該断層画像のサムネイル画像であってもよい。
【００９９】
各縮小画像は、その基となる断層画像（画像記憶部４に記憶されている）に関連付けられている。この関連付けは、たとえば画像の取得時に断層画像に付与される画像ＩＤ等を用いて行う。表示制御部９Ａは、この関連付けを参照し、オペレータが指定した縮小画像に対応する断層画像を画像表示部１４０３に表示させる。
【０１００】
更に、オペレータは、表示された断層画像を観察するとともに、操作部７Ｂを操作して画像の輝度、パニング（ｐａｎｎｉｎｇ）、倍率などの表示条件を調整する。この処理は、たとえばマウスを操作することによって行う。表示条件を調整したら、オペレータは、画像表示部１４０３の右下端の領域をクリックすることにより表示条件を適用させる。オペレータは、断層画像の選択表示、表示条件の調整及びその適用の各操作を必要に応じて繰り返すことにより、所望の表示態様の断層画像を作成する。
【０１０１】
（ステップ６）
ステップ６では、ルーチン検査の最後の処理として、画像の印刷（フィルミング）を行う。図８に示す画像観察画面１４００の縮小画像表示部１４０２の左側には、複数のプロトコルを表すボタン（プロトコル指定ボタン１４０４）が選択可能に配列されている。オペレータは、所望のプロトコルに対応するプロトコル指定ボタン１４０４をクリックする。
【０１０２】
次に、オペレータは、画像読込ボタン１４０５をクリックし、画像表示部１４０３に表示されている画像をフィルミングに供される画像として読み込ませる。すなわち、制御部９は、画像読込ボタン１４０５がクリックされたことに対応し、画像表示部１４０３に表示されている画像の画像データを画像記憶部４から読み出すとともに、別途に作成されたフィルミングに供される画像のフォルダに当該画像データを記憶させる。このとき、各画像について指定されたプロトコルの情報が画像データとともに記憶される。
【０１０３】
このようにして、オペレータは、取得された画像のうちからフィルミングに供するものを選択する。表示制御部９Ａは、フィルミング用として選択された画像を、フィルミング画像表示部１４０６に配列表示させる。
【０１０４】
フィルミング用の画像の選択が終了したら、オペレータは、印刷ボタン１４０７をクリックする。制御部９は、フィルミング用のフォルダに記憶されている画像データ及びプロトコルの情報を通信部８に送る。通信部８は、制御部９による制御に応じ、これらの画像データ及びプロトコルの情報をイメージャ３００に送信する。
【０１０５】
イメージャ３００は、医用画像診断装置１からの画像データ等を受信し、各々指定されたプロトコルの情報に基づいて、各画像データに基づく画像をフィルムに印刷する。
【０１０６】
なお、以上のように使用される画像観察画面１４００は、この発明の「印刷操作画面」の一例として機能する表示画面である。
【０１０７】
（ステップ７）
ステップ７においては、ルーチン検査の一連の処理が終了した後に、オペレータが所定の操作を行う。この実施形態では、所定の操作として、画像観察画面１４００上のＮｅｘｔボタン１４００Ａをクリックする。
【０１０８】
（ステップ８）
ステップ８では、次の患者の有無を判断する。この処理は、Ｎｅｘｔボタン１４００Ａがクリックされたことに対応して患者判断部９Ｃが行う。なお、この処理の内容については、前述の患者判断部９Ｃの説明において詳述した。
【０１０９】
次の患者が存在すると判断された場合（Ｓ８；Ｙ）、表示制御部９Ａは、図６に示す撮像位置決定操作画面１２００を表示部７Ａに表示させる。オペレータは、この新たな患者に対してステップ２〜ステップ６に示す一連の処理を実施する。
【０１１０】
一方、次の患者が存在しないと判断された場合（Ｓ８；Ｎ）、表示制御部９Ａは、図９に示す画像転送画面１５００を表示部７Ａに表示させる。画像転送画面１５００は、この発明の「画像送信操作画面」の一例に相当する。
【０１１１】
（ステップ９）
ステップ９では、画像の転送を行う。ここでは、ＰＡＣＳに画像を転送する場合について説明する。図９、図１０及び図１１は、画像の転送処理を行うための表示画面の一例を表している。
【０１１２】
まず、オペレータは、図９に示す画像転送画面１５００中の所望の転送ファイルボタン１５０１をクリックすることにより、ＰＡＣＳに転送する画像データが記憶されたファイルを選択する。
【０１１３】
次に、オペレータは、ネットワークメニュー１５０２をクリックして選択肢「送信」及び「受信」を表示させるとともに、ドラッグ操作により「送信」を選択する。このネットワークメニュー１５０２は、プルダウンメニューにより構成されている。
【０１１４】
ネットワークメニュー１５０２の「送信」が選択された後にＮｅｘｔボタン１５００Ａがクリックされると、表示制御部９Ａは、図１０に示すネットワークウィンドウ１６００をポップアップ表示させる。ネットワークウィンドウ１６００には、転送先のリストが表示されている。オペレータは、転送先を選択して終了ボタン１６０１をクリックする。それにより転送先が指定される。なお、転送先の選択は、リスト中の所望の転送先に対応するチェックボックスをクリックしてチェックマークを入力することにより行う。
【０１１５】
転送先が指定されると、表示制御部９Ａは、ネットワークウィンドウ１６００の表示を終了する。画像転送画面１５００の検査リスト表示部１５０３には、既に実施された検査のリストが表示されている。オペレータは、当該リスト中の所望の検査を選択してクリックするとともに、選択ボタン１５０４をクリックして選択結果を確定する。
【０１１６】
選択ボタン１５０４がクリックされた後にＮｅｘｔボタン１５００Ａがクリックされると、表示制御部９Ａは、図１１に示す転送情報確認画面１７００を表示部７Ａに表示させる。転送情報確認画面１７００の転送情報表示部１７０１には、選択された検査や、指定された転送先などの情報が表示される。
【０１１７】
オペレータは、転送情報表示部１７０１の表示内容を確認する。その表示内容が適当であれば、オペレータは適用ボタン１７０２をクリックする。適用ボタン１７０２がクリックされると、制御部９は、選択された検査において取得された画像データ及びその付帯情報（患者情報や撮影条件等）を通信部８に送る。通信部８は、制御部９による制御に応じ、指定された転送先に画像データ等を送信する。
【０１１８】
転送先（ＰＡＣＳ）は、医用画像診断装置１から送信された画像データ等を受信してデータベースに保管する。ＰＡＣＳは、画像ビューア等からの要求に応じて画像データを提供する。
【０１１９】
なお、転送情報表示部１７０１の表示内容が適当でない場合には、オペレータは、転送情報表示部１７０１の下方に配列された各種のボタンを操作するなどして、検査や転送先を修正し、転送情報を再度確認して転送する。
【０１２０】
画像の転送処理が終了したら、オペレータは、Ｎｅｘｔボタン１７００Ａをクリックする。それにより、患者リストＬに記録されていた患者に対する検査は終了となる。このとき、たとえば、表示制御部９Ａは、新たな患者が患者リストＬに登録されるまでの待機画面を表示部７Ａに表示させる。この待機画面としては、たとえば図４に示した患者予約画面１０００などが表示される。
【０１２１】
［作用・効果］
この実施形態に係る医用画像診断装置１の作用及び効果について説明する。
【０１２２】
医用画像診断装置１は、患者リストＬを記憶している。制御部９は、ルーチン検査における一連の処理の終了後に画像観察画面１４００上のＮｅｘｔボタン１４００Ａがクリックされたことに対応し、前述した操作画面１０００〜１７００のうちのいずれかを、患者リストＬに基づいて選択して表示部７Ａに表示させる。
【０１２３】
より具体的に説明すると、制御部９は、Ｎｅｘｔボタン１５００Ａがクリックされたことに対応し、まず、患者リストＬに基づいて次の患者の有無を判断する。次の患者が存在する場合、制御部９は、その患者に対する検査における最初の画面として撮像位置決定操作画面１２００を表示させる。一方、次の患者が存在しない場合、制御部９は、画像転送操作画面１５００を表示させる。
【０１２４】
このような医用画像診断装置１によれば、未だに検査を施していない患者の有無に応じて次に行う処理が異なる場合に、次の患者の有無に基づいて次の処理を自動的に判断し、この次の処理を行うための操作画面を自動的に表示することができる。それにより、オペレータは、次の患者の有無を考慮して操作を使い分ける必要がなくなる。したがって、この実施形態によれば、医用画像診断装置の操作性の向上を図ることが可能である。また、この実施形態によれば、次の患者の有無の把握ミスに起因する操作のミスを回避することができる。
【０１２５】
［変形例］
以上に詳述した構成は、この発明を好適に実施するための一具体例に過ぎない。したがって、この発明の要旨の範囲内における各種の変形を適宜に施すことが可能である。以下に変形例を説明する。
【０１２６】
上記の実施形態では、Ｎｅｘｔボタン１４００Ａに対する操作をトリガとして、次の患者の有無を判断して操作画面を選択表示するようになっているが、別のトリガを用いることも可能である。たとえば、マウスメニュー（右クリック等により表示されるメニュー）やマウスホイール（マウスに搭載された回転式の操作手段）による操作をトリガとすることができる。また、キーボードの所定のキーに対する操作をトリガとすることもできる。更に、医用画像診断装置の専用のコントロールパネル上に設けられた操作手段に対する操作をトリガにしてもよい。
【０１２７】
上記の実施形態では、画像の印刷処理を行った後に、次の患者の有無を判断して操作画面を選択表示するようになっているが、印刷処理以外の処理の終了後に、当該判断処理及び表示処理を行うように構成してもよい。たとえば、画像の印刷を行わない場合には、本撮像の終了後や画像観察の終了後に所定の操作を行うことにより、当該判断処理及び表示処理に移行するように構成することが可能である。
【０１２８】
また、上記の実施形態では、次の患者が存在しない場合には画像の転送処理に移行するようになっているが、画像の転送を行わない場合などにおいては、たとえば上記の待機画面を表示させるなどの構成を採用することができる。
【図面の簡単な説明】
【０１２９】
【図１】この発明に係る医用画像診断装置の好適な実施の形態の構成の一例を表す概略ブロック図である。
【図２】この発明に係る医用画像診断装置の好適な実施の形態における患者リストの一例を表す概略図である。
【図３】この発明に係る医用画像診断装置の好適な実施の形態の使用形態の一例を表すフローチャートである。
【図４】この発明に係る医用画像診断装置の好適な実施の形態の使用形態において表示される表示画面の一例を表す概略図である。
【図５】この発明に係る医用画像診断装置の好適な実施の形態の使用形態において表示される表示画面の一例を表す概略図である。
【図６】この発明に係る医用画像診断装置の好適な実施の形態の使用形態において表示される表示画面の一例を表す概略図である。
【図７】この発明に係る医用画像診断装置の好適な実施の形態の使用形態において表示される表示画面の一例を表す概略図である。
【図８】この発明に係る医用画像診断装置の好適な実施の形態の使用形態において表示される表示画面の一例を表す概略図である。
【図９】この発明に係る医用画像診断装置の好適な実施の形態の使用形態において表示される表示画面の一例を表す概略図である。
【図１０】この発明に係る医用画像診断装置の好適な実施の形態の使用形態において表示される表示画面の一例を表す概略図である。
【図１１】この発明に係る医用画像診断装置の好適な実施の形態の使用形態において表示される表示画面の一例を表す概略図である。
【符号の説明】
【０１３０】
１  医用画像診断装置
２  データ収集部
３  画像生成部
４  画像記憶部
Ｆｉ  画像ファイル
５  オーダ受付部
６  リスト記憶部
Ｌ  患者リスト
７  ユーザインターフェイス
７Ａ  表示部
７Ｂ  操作部
８  通信部
９  制御部
９Ａ  表示制御部
９Ｂ  リスト制御部
９Ｃ  患者判断部
１００  オーダ端末
２００  ＲＩＳ
３００  イメージャ
４００  外部装置
１０００  患者予約画面
１１００  検索キー設定画面
１２００  撮像位置決定操作画面
１３００  撮像操作画面
１４００  画像観察画面
１５００  画像転送画面
１６００  ネットワークウィンドウ
１７００  転送情報確認画面
１４００Ａ、１５００Ａ、１７００Ａ  Ｎｅｘｔボタン
【図１】
2008212184.tif 000003
【図２】
2008212184.tif 000004
【図３】
2008212184.tif 000005
【図４】
2008212184.tif 000006
【図５】
2008212184.tif 000007
【図６】
2008212184.tif 000008
【図７】
2008212184.tif 000009
【図８】
2008212184.tif 000010
【図９】
2008212184.tif 000011
【図１０】
2008212184.tif 000012
【図１１】
2008212184.tif 000013